(57)【要約】【課題】装着中に自身でずれを直すことができる滅菌部付き３Ｄメガネを提供する。【解決手段】テンプル４の付根部に係止部６を形成し、該係止部６に滅菌済みの取手部７を取付けることができるため、装着中に３Ｄメガネ１がずれたとしても取手部７を手で持ってずれを直すことができる。取手部７は滅菌されているため手で触れても問題ない。取手部７は左右両側へ突出しているため装着者の視野の邪魔にならない。また両手で取手部７を持つことによりずれを直しやすい。【選択図】        図１
2014074790.tif 000002
【特許請求の範囲】
【請求項１】
リム又はリムの周辺部に係止部を形成し、該係止部に滅菌済みの取手部を取付け自在としたことを特徴とする滅菌部付き３Ｄメガネ。
【請求項２】
テンプルのリムに対する付根部に左右両側へ突出する係止部が形成され、取手部に係止部に差し込む嵌装穴が形成され、該嵌装穴を介して取手部が係止部に取付けられることを特徴とする請求項１記載の滅菌部付き３Ｄメガネ。
【発明の詳細な説明】
【技術分野】
【０００１】
本発明は、医療現場で使用される滅菌部付き３Ｄメガネに関するものである。
【背景技術】
【０００２】
現在ディスプレイやスクリーンに表示された両眼視差を有する映像を３Ｄメガネを介して見ることにより立体映像が観察できる３Ｄ技術が各分野において採用されている。医療分野においても手術時の患部等を立体的に把握するために手術顕微鏡の映像をディスプレイに表示し、それをアシスタント等が３Ｄメガネを介して立体的に観察することがある（例えば、特許文献１参照）。
【先行技術文献】
【特許文献】
【０００３】
【特許文献１】特開２０１０−１６９７４０号公報
【発明の概要】
【発明が解決しようとする課題】
【０００４】
しかしながら、３Ｄメガネを医療現場で使用する場合は、３Ｄメガネ自体が汚れている（完全滅菌されていない）ため、使用中に３Ｄメガネがずれても、装着者は自身で３Ｄメガネに触れて「ずれ」を直すことができない。そのため医療現場において３Ｄメガネを使いづらい現実があり、その改善が望まれていた。
【０００５】
本発明は、このような従来の技術に着目してなされたものであり、装着中に自身でずれを直すことができる滅菌部付き３Ｄメガネを提供することを目的としている。
【課題を解決するための手段】
【０００６】
請求項１記載の発明は、リム又はリムの周辺部に係止部を形成し、該係止部に滅菌済みの取手部を取付け自在としたことを特徴とする。
【０００７】
請求項２記載の発明は、テンプルのリムに対する付根部に左右両側へ突出する係止部が形成され、取手部に係止部に差し込む嵌装穴が形成され、該嵌装穴を介して取手部が係止部に取付けられることを特徴とする。
【発明の効果】
【０００８】
請求項１記載の発明によれば、リム又はリムの周辺部に形成された係止部に滅菌済みの取手部を取付けることができるため、装着中に３Ｄメガネがずれたとしても取手部を手で持ってずれを直すことができる。取手部は滅菌されているため手で触れても問題ない。
【０００９】
請求項２記載の発明によれば、係止部がテンプルの付根部から左右両側へ突出し、そこへ取手部が取付けられるため、取手部は装着者の視野の邪魔にならない。また両手で取手部を持つことによりずれを直しやすい。
【図面の簡単な説明】
【００１０】
【図１】滅菌部付き３Ｄメガネを示す全体図。
【図２】係止部に取手部を取付けた状態を示す断面図。
【発明を実施するための形態】
【００１１】
図１及び図２は、本発明の一実施形態を示す図である。
【００１２】
３Ｄメガネ１は医療現場で使用されるもので、中央がブリッジ２で連結されたリム３を有し、リム３の左右両側にはそれぞれ耳に掛けるテンプル４が一体形成されている。リム３及びテンプル４は樹脂による一体成形品である。テンプル４はヒンジを介して折りたたみ可能な構造にしても良い。
【００１３】
リム３には左右それぞれ別の特性を有する偏光ガラス５が嵌め込まれている。偏光ガラス５を介して両眼視差を有する一対の映像を見ることにより立体観察が可能となる。３Ｄ技術には種々あり偏光ガラス５の代わりにシャッター式のガラスが用いられる場合もある。
【００１４】
そしてリム３に対するテンプル４の付根部に左右両側に突出する係止部６がそれぞれ一体形成されている。この係止部６は先端が若干尖った状態の円柱形状をしている。
【００１５】
この係止部６に同じく樹脂製の取手部７が取付けられる。取手部７は一端から係止部６に相応する嵌装穴８が形成されたキャップ形状をしている。取手部７は十分に滅菌された状態で図示せぬ密封パックに包装されており、使用時に包装から取り出し、係止部６に対して嵌装穴８から差し込んで取付ける。係止部６に取手部７を取付けることにより、３Ｄメガネ１のうち取手部７だけは滅菌部となる。
【００１６】
３Ｄメガネ１を顔に装着しても、取手部７はテンプル４の付根部から左右両側に突出した状態となるため、装着者の視野の邪魔にならない。
【００１７】
そして３Ｄメガネ１を装着して立体画像を観察しながら作業をしている最中に、３Ｄメガネ１の位置がずれたりしても、装着者は取手部７を手で持ってずれを直すことができる。取手部７は滅菌されているため手で触れても問題ない。また取手部７が左右両側にあるため両手で取手部７を持つことができ、ずれを直しやすい。取手部７は使い捨てで使用後は廃棄され、再度の使用時には新しい取手部７が使用される。
【００１８】
以上説明したように、３Ｄメガネ１を医療現場において使用する場合も、ずれを確実に直せるため、３Ｄメガネ１が使いやすい。
【００１９】
尚、以上の実施形態では一例を説明したが以下に説明するような例も可能である。
【００２０】
嵌装穴８が開口する取手部７の先端部には、取手部７と一体に形成されたフランジ部（図示せず）を設けても良い。フランジ部は、例えば、指先と同程度の幅を有する肉薄の環状に形成される。フランジ部を設けた取手部７を把持した際、装着者の指先（手術用手袋の指先部）はこのフランジ部に優先して接触することなるので、テンプル４への不用意な接触を防止することができる。なお、このフランジ部は、嵌装穴８が形成された側に向かって断面の直径が増加するフレア状の構造でも良い。この場合もテンプル４への指の接近を規制でき、その結果、テンプル４への接触を防止することができる。
【００２１】
テンプル４の付根部に係止部６及び取手部７を設ける例を示したが、リム３自体の両側に設けても良い。
【００２２】
左右両側に係止部６及び取手部７を設ける例を示したが、左右どちらか一方でも良い。
【００２３】
係止部及び取手部はブリッジ２に設けても良い。
【００２４】
係止部が雌ねじ部で、そこに雄ねじ部を有する取手部を螺合しても良い。その逆でも良い。
【００２５】
取手部は滅菌可能であればどのような材質、形状でも良い。金属でも良く、金属の場合はオートクレーブにより繰り返し滅菌することができる。
【００２６】
更に、ここでメガネとは、一般的なメガネの上から装着する若干大きめのオーバーグラスや、テンプル部分が無くてブリッジにクリップやヒンジ等の装着手段を有し、一般的なメガネの上から装着手段により重ね合わせて使用する付加式グラスも含む。
【符号の説明】
【００２７】
１  ３Ｄメガネ
２  ブリッジ
３  リム
４  テンプル
５  偏光ガラス
６  係止部
７  取手部
８  嵌装穴
【図１】
2014074790.tif 000003
【図２】
2014074790.tif 000004